(57)【特許請求の範囲】
【請求項１】
脚部と座部と背当て部とを備えてなる椅子であって、
前記座部の座面は着座者の踵の低部から膝裏屈曲部までの高さより高く、奥行きは着座者の臀部後端から膝裏屈曲部までの長さより短く、
前記座部の座面の略中央より前方部が前下方への傾斜面（５）で構成され、
前記座部の座面の略中央部には第１の凹み（３）と、第１の凹みの左右に臀部の形に添った凹みである第２の凹み（４）が配置され、
前記背当て部の背当て（６）には左右方向の略中央部に第３の凹み（７）が配置されていることを特徴とする椅子。
【請求項２】
前記座面の第１の凹み（３）は座面略中央に配置され、その形状は着座者の左右方向の長さより、背側から膝方向への長さの方が長いことを特徴とする請求項１記載の椅子。
【請求項３】
前記背当て部の背当て（６）は座面後端から、略垂直線上上方に設置されていることを特徴とする請求項１乃至２記載の椅子。
【発明の詳細な説明】
【技術分野】
【０００１】
本発明は椅子に関する。        
【背景技術】
【０００２】
従来の椅子は座面が平面の椅子が多い。平面の座面に着座した場合、着座者は座面と接触する坐骨結節と生殖器底部に多くの負担を感じる。その結果、足を組んだり、臀部を動かしたり、若しくは骨盤を後ろ側に傾けて接触部分の負担を軽くしようと試みる。本来ならば腰椎は後ろに湾曲した形が自然な形であるが、前記の姿勢では骨盤に繋がった腰椎が前に湾曲した状態になってくる。
【０００３】
更に、座面が水平で前後の長さが膝まで在ると着座者の膝の角度はほぼ90度となる。この場合、着座者の姿勢は膝が座面の前方でほぼ固定されていると共に、上半身の重心と離れている為、膝の運動が制限され足でバランスを取ることが難しい。その結果、バランスを取るのが容易な膝の後や足の方へ重心を近づけようと上体を前に傾けるようになる。この上体を前に傾けた姿勢もまた、前記と同じく、腰椎は前に湾曲した状態になってくる。
【０００４】
腰部湾曲を前に湾曲したまま椅子に着座していると、徐々に固定的な変形となり元の形に戻すのが難しくなる。更に、立った姿勢でも腰椎が前に湾曲した姿勢が多くなり、腰痛を引き起こす要因となる。
【０００５】
只、前記の問題点を解消しようと考案されたものは今までにもあった。座面にクッション製の素材を用い、臀部への負担を和らげる試みや、特許文献１、２に有るように座面をカットしたマット、他には非特許文献１の座面が前方に傾斜しているもの、特許文献３、４の座面が傾斜していて更に、骨盤結節の負担になる部分のカットもされているものなどである。
【先行技術文献】
【特許文献】
【０００６】
【特許文献１】特許公開2000−513591
【特許文献２】特許公開2009−219506
【特許文献３】特許公開2008−119182
【特許文献４】特許公開2008−149110
【非特許文献】
【０００７】
【非特許文献１】http://balans.jp/history.html    [２０１４年  3月１１日アクセス]
【０００８】
しかしながら、特許文献３乃至４の座面が傾いた状態では重圧が掛かると臀部は前方に滑るという問題がある。臀部が前方に滑るという問題の解決がなされている非特許文献１では膝や脛の負担に対しての考慮が必要となる。
前記特許文献１乃至４及び非特許文献１は膝の運動が制限されている。更に、生殖器底部の負担について考慮されるに至っていない。
【発明の概要】
【発明が解決しようとする課題】
【０００９】
本発明の目的は、膝の運動が制限されず、また、骨盤結節と生殖器底部の負担を軽減できる椅子を提供することにある。
【課題を解決するための手段】
【００１０】
本発明に係る椅子は脚部と座部と背当て部とを備えてなる椅子であって、座部の座面は着座者の踵の低部から膝裏屈曲部までの高さより高く、奥行きは着座者の臀部後端から膝裏屈曲部までの長さより短く、座部の座面の略中央より前方部が前下方への傾斜面（５）で構成され、座部の座面の略中央部には第１の凹み（３）と、第１の凹みの左右に臀部の形に添った凹みである第２の凹み（４）が配置され、背当て部の背当て（６）には左右方向の略中央部に第３の凹み（７）が配置されていることを特徴とする。
【００１１】
座面の第１の凹み３は座面略中央に配置され、その形状は着座者の左右方向の長さより、背側から膝方向への長さの方が長いことを特徴とする。
【００１２】
背当て部の背当て６は座面後端から、略垂直線上上方に設置されていることを特徴とする。
【発明の効果】
【００１３】
本発明によれば、着座者の膝の運動が制限されず、骨盤結節と生殖器底部の負担を軽減できる。
【図面の簡単な説明】
【００１４】
【図１】本発明に係る椅子の斜視図である。
【図２】本発明に係る椅子の座面の斜視図である。
【図３】本発明に係る椅子の（図２）座面斜視図のa−aの断面図である。
【図４】本発明に係る椅子の（図２）座面斜視図のb−ｂの断面図である。
【図５】本発明に係る椅子を使用した場合の姿勢を示した図である。
【図６】従来の椅子を使用した場合の姿勢を示した図である。
【図７】実施の形態第２での座部の略中央より前方部が前下方への傾斜面５を丸く弧の形した場合の座面の側面図である。
【図８】実施の形態第３での座部の略中央より前方部が前下方への傾斜面５を傾斜角度を変えた傾斜面２面以上で形成した場合の座面の側面図である。
【発明を実施するための形態】
【００１５】
本発明を実施するための形態ついて添付図面を参考に説明する。
【００１６】
第１図は本発明を実施するための形態の斜視図である。図１において、座面の高さは着座者のか踵の低部から膝裏屈曲部までの高さより高く設けられている。座面の奥行きは着座者の臀部後端の位置から膝裏屈曲部までの長さより短く設けられている。例えば身長１５００ミリの場合、表１では座面の高さは３８０ミリ、座面の奥行きは３６０ミリとなっているが実施の形態では座面の高さ５００ミリ、座面の奥行きは２８０ミリに構成される。座面の略中央より前方部が前下方へ２５度傾斜した傾斜面5が設けられている。座面の略中央部には深さ略２０ミリの第１の凹み3が設けられている。第１の凹み3の左右に深さ略１０ミリの臀部の形に添った第２の凹み4が設けられている。背当て6は座面後方先端より略垂直上１７０ミリ上部に設置され、左右中央部には凹み7が設けられている。
【表１】
0005559442.tif 000002
【００１７】
前記の下肢の運動を妨げないように従来の椅子より座面の奥行きが短く、座面の高さは高い構成では着座者の大腿部の後側に負担が係るという障害が生じるので、座面の座部の略中央より前方部が前下方への傾斜面5が設けられている。この構成によって第１に、膝が固定されず、下肢の運動が自由になる。第２に上肢の重心が前方の下肢に近づく。この２つの条件によって、下肢で上半身のバランスを取ることが容易になり、体幹の骨は本来の自然な形であるＳ字状を保つことが出来るようになるので、背筋を伸ばして着座することが容易になるという効果がある。
【００１８】
しかし、前記体幹の骨のＳ字状を保って着座した姿勢では骨盤が立った状態になり、座面に接触する骨盤結節と生殖器底部への負担が大きくなる。先ず、生殖器底部の負担を軽減するために第１の凹み3が設けられている。更に、骨盤結節への負担を軽減するために第２の凹み4が設けられている。この２点の負担が軽くなることで、骨盤を垂直に立てて着座した姿勢でも、座面に接触した部分の緊張が少なくなり、体幹の骨は本来の自然な形であるＳ字状を保って着座することが容易になる。
【００１９】
更に、上半身の体幹の骨はＳ字状を保って着座することが出来るので、背当て６は、より背に近くなるように座面後端より略垂直上に配置されている。更に、背当て6の左右中央部には凹み7が配置されているので、背骨が当たる不快感を避けることが出来る。
【００２０】
従ってこの椅子に座ることによる作用は、膝の運動を制限されない事、座面に骨盤を立てた状態で着座する時に懸かる骨盤結節と生殖器底部への負担の軽減が図られている事、この２つの形態によって上体のバランスを取るのが易くなり、体幹の骨は本来の自然な形であるＳ字状を保つことが出来る。自然な姿勢を保てるのであれば腰椎の腰部湾曲も自然な形である後ろに反った形を保って着座することが容易になる。その結果、腰痛の原因の１つである腰椎変形を防ぐことが出来る。更に、慣習的に腰椎湾曲を変形させて腰痛を引き起こしている場合は回復をも期待できる。
【００２１】
更に、背当て左右中央部に凹み７が設けられていることで背骨の圧痛を避けることが出来、上体を支える安定性が充実される。
【００２２】
また、図５に示すように座面が高く、奥行きが短いと、着座者の膝の角度は大きくなるので、従来の座面の高さでの着座者の膝の角度がほぼ９０度の姿勢図６より、上肢の重心の位置が支えとなる足に近くなり、前方への体重移動が易くなる事と、膝の運動が制限されていない事で着座や立ち上がりの動作での膝への負担が軽減される。  
【００２３】
更に、図５での体幹の骨のＳ字状を保って着座した姿勢は、図６での背を前に湾曲させて着座した姿勢より緊張が少なく、自然で、美しい姿勢になる。
【００２４】
更に、本実施の形態では座面の奥行きが短いため、体格によって踵の低部から膝裏屈曲部までの長さが違う人でも広範囲に共用できる。
【００２５】
前記以外の実施の形態では、実施の形態第２として座部の略中央より前方部が前下方への傾斜面5は、図７の丸く弧の形、若しくは実施の形態第３として図６の傾斜角度を変えた傾斜面２面以上で形成しても使用できる。
【００２６】
また、本実施の形態では脚部は４本の脚を用いているが、高さを調節できる脚を用いても良い。
【００２７】
また、本実施の形態において、座面と背当ての凹凸部をほぼ保てる素材を用いれば、全体のデザインや素材は広範囲に使用できる。
【００２８】
また、本発明に係る椅子は、生活全般の座る動作において使用する椅子や座面に使用できる。
【００２９】
本発明に係る椅子は座面が高く設定されているので、座面の高さに応じて机の高さも、現在汎用されている机の高さより高いものが好ましい。
【符号の説明】
【００３０】
１  前脚、２  座面底部、３  第１の凹み、４  第２の凹み、５  座面の膝側片部の傾斜面、６  背当て、７  第３の凹み。
【要約】
【課題】膝の運動が制限されず、また、骨盤結節と生殖器底部の負担を軽減できる。
【解決手段】座面の高さは着座者の踵から膝窩部までの高さより高く設けられている。座面の奥行きは着座者の臀部後端の位置から膝屈曲部までの長さより短く、座部の略中央より前方部が前下方への傾斜面5が設けられている。座面の中央部には左右の幅が短く奥行きが長い第１の凹み3が設けられている。第１の凹み3の左右に臀部の形に添った第２の凹み4が設けられている。背当て6は座面の後方先端より略垂直上上部に設置され、左右中央部に凹み7が設けられている。
【選択図】図１【図１】
0005559442.tif 000003
【図２】
0005559442.tif 000004
【図３】
0005559442.tif 000005
【図４】
0005559442.tif 000006
【図５】
0005559442.tif 000007
【図６】
0005559442.tif 000008
【図７】
0005559442.tif 000009
【図８】
0005559442.tif 000010